(57)【要約】【課題】ＲＦＩＤタグ付き物品およびＲＦＩＤタグに関するものであり、ＲＦＩＤタグを制服やハンドバッグなどの物品に外見上分からないように取り付けやすくすることを目的とする。【解決手段】ＲＦＩＤタグ１が取り付けられているＲＦＩＤタグ付き物品６であって、ＲＦＩＤタグ１は、タグ情報を記憶保持するタグＩＣチップを有するタグ本体部１２と、このタグＩＣチップに接続された炭素繊維製のタグアンテナ部９とを備え、タグアンテナ部９が物品６に設けられている刺繍部７に一体化されて取り付けられている。【選択図】図４
2010026886.tif 000002
【特許請求の範囲】
【請求項１】
物品にＲＦＩＤタグが取り付けられているＲＦＩＤタグ付き物品であって、
前記ＲＦＩＤタグは、
タグ情報を記憶保持するタグＩＣチップを有するタグ本体部と、
このタグＩＣチップに接続された炭素繊維製のタグアンテナ部とを備え、
前記タグアンテナ部が前記物品に設けられている刺繍部に一体化されて取り付けられていることを特徴とするＲＦＩＤタグ付き物品。
【請求項２】
前記物品が衣類であり、前記ＲＦＩＤタグの前記タグアンテナ部が前記衣類に設けられている刺繍部に一体化されて取り付けられていることを特徴とする請求項１に記載のＲＦＩＤタグ付き物品。
【請求項３】
前記刺繍部が前記物品における縫合部であり、前記ＲＦＩＤタグの前記タグアンテナ部が前記縫合部に一体化されていることを特徴とする請求項１に記載のＲＦＩＤタグ付き物品。
【請求項４】
前記物品の刺繍部が前記炭素繊維製のタグアンテナ部により形成されていることを特徴とする請求項１に記載のＲＦＩＤタグ付き物品。
【請求項５】
タグ情報を記憶保持するタグＩＣチップを有するタグ本体部と、
前記タグＩＣチップに電気的に接続された炭素繊維製のタグアンテナ部とを備え、
前記タグアンテナ部は炭素繊維製とし、物品に設けられている刺繍部に一体取り付け可能としたことを特徴とするＲＦＩＤタグ。
【請求項６】
前記物品が衣類であり、前記タグアンテナ部が前記衣類に設けられている刺繍部に一体取り付け可能としたことを特徴とする請求項５に記載のＲＦＩＤタグ。
【請求項７】
前記刺繍部が前記物品における縫合部であり、前記タグアンテナ部が前記縫合部に一体取り付け可能としたことを特徴とする請求項５に記載のＲＦＩＤタグ。
【請求項８】
前記炭素繊維製のタグアンテナ部が前記物品の刺繍部を形成していることを特徴とする請求項５に記載のＲＦＩＤタグ。
【発明の詳細な説明】
【技術分野】
【０００１】
本発明は、ＲＦＩＤタグ付き物品およびＲＦＩＤタグに関する。
【背景技術】
【０００２】
近年、物流、物品などの管理、あるいは人や物体の認証をするために、ＲＦＩＤ（Ｒａｄｉｏ  Ｆｒｅｑｕｅｎｃｙ  ＩＤｅｎｔｉｆｉｃａｔｉｏｎ）タグが利用されている。ＲＦＩＤタグは、タグ情報を記憶保持するタグＩＣチップを有したタグ本体部と、このタグＩＣチップに電気的に接続されるとともに無線信号を送受信するタグアンテナ部とを備えている。
【０００３】
このようなＲＦＩＤタグの利用例として、タグアンテナ部を線状素材の金属で形成し、タグＩＣチップおよびタグアンテナ部を衣類、タオル、シーツなどの布に組み込み、物流や洗濯作業の管理を行っていた（例えば、特許文献１を参照）。
【特許文献１】特開２００５−１３０３５４号公報
【発明の開示】
【発明が解決しようとする課題】
【０００４】
従来のＲＦＩＤタグでは、タグアンテナ部を線状素材の金属細線で形成していたため、タグ本体部から外れやすく、また、錆びたり曲げに弱かったりして、タグアンテナ部が強く引っ張られたり繰り返し折曲されたりした場合にタグ本体部から外れたり切れたりしやすかった。このため、取り付け方法にも制限があるために、盗難や悪用を防止するためにＲＦＩＤタグを病院や警察などの制服やハンドバッグなどには取り付けにくく、外見上分からないように取り付けることが難しいといった課題があった。
【０００５】
そこで、本発明は、ＲＦＩＤタグを制服やハンドバッグなどの物品に外見上分からないように取り付けやすくすることを目的とする。
【課題を解決するための手段】
【０００６】
この目的を達成するために本発明のＲＦＩＤタグ付き物品は、物品にＲＦＩＤタグが取り付けられているＲＦＩＤタグ付き物品であって、ＲＦＩＤタグは、タグ情報を記憶保持するタグＩＣチップを有するタグ本体部と、このタグＩＣチップに接続された炭素繊維製のタグアンテナ部とを備え、タグアンテナ部が物品に設けられている刺繍部に一体化されて取り付けられていることを特徴とする。
【０００７】
また、本発明のＲＦＩＤタグは、タグ情報を記憶保持するタグＩＣチップを有するタグ本体部と、タグＩＣチップに電気的に接続された炭素繊維製のタグアンテナ部とを備え、タグアンテナ部が物品に設けられている刺繍部に一体化されて取り付けられたことを特徴とする。
【発明の効果】
【０００８】
以上のように本発明のＲＦＩＤタグは、タグ情報を記憶保持するタグＩＣチップを有するタグ本体部と、タグＩＣチップに電気的に接続されたタグアンテナ部とを備え、タグアンテナ部は炭素繊維製とし、物品に設けられている刺繍部に一体取り付け可能としているので、柔軟性に富む炭素繊維を物品の刺繍部に縫い込んで一体化させることができる。これにより、ＲＦＩＤタグを繰り返し折曲されたり引っ張られたりするような場所にも取り付けることができる。しかも、刺繍部に一体化できることにより外見上分かりにくい状態で取り付けすることができる。
【０００９】
これらのことにより、ＲＦＩＤタグを衣類などの物品に外見上分からないように取り付けやすくすることができ、衣類やハンドバッグなどの物品に取り付けて盗難防止、悪用防止ができる。
【発明を実施するための最良の形態】
【００１０】
以下、本発明の実施の形態について図面を用いて詳細に説明する。
【００１１】
（実施の形態１）
まず、図１および図２を参照しながら、本発明の実施の形態１におけるＲＦＩＤシステム２について説明する。ここでは、病院の職員などの着衣にＲＦＩＤタグ１を取り付け、このＲＦＩＤタグ１のタグ情報を読み取ることにより職員の病棟間入退室の管理や行き先の管理、悪用防止、盗難防止などを行うＲＦＩＤシステム２の例について説明する。
【００１２】
図１は本発明の実施の形態１におけるＲＦＩＤシステム２の概要を説明するものであり、図１（Ａ）は本発明の実施の形態１におけるＲＦＩＤシステム２の概要を説明するための概要図、図１（Ｂ）は同ＲＦＩＤシステム２に用いられるＲＦＩＤタグ１を職員４に取り付けた状態の例を示す正面図、図２は本発明の実施の形態１におけるＲＦＩＤタグ付き物品である制服を示す斜視図である。
【００１３】
図１（Ａ）に示すように、ＲＦＩＤシステム２は、タグ情報を記憶保持しているＲＦＩＤタグ１と、このＲＦＩＤタグ１のタグ情報を読み取り管理するリーダライタ３とを備えている。
【００１４】
ＲＦＩＤタグ１は、例えば、図１（Ｂ）に示すように、病院の看護師などの職員４が着ているユニホームなどの制服６の一部（いずれか一箇所でもよい）に取り付けられ、職員４の身分証明用の個別識別情報であるタグ情報を記憶保持している。これにより、職員４以外の人はこの正規の制服６を着用することができないため、他の外部の人が不正に悪用するのを防止することができる。
【００１５】
一方、図１（Ａ）に示すように、このＲＦＩＤタグ１と交信するためのリーダライタ３が手前の病棟と奥の病棟との出入り口５の近傍に取り付けられている。
【００１６】
このような構成により、職員４が出入り口５を通るときに、リーダライタ３が職員４の着衣に取り付けられたＲＦＩＤタグ１に向けて質問信号を送信する。ＲＦＩＤタグ１は、質問信号を受信して内部に記憶保持しているタグ情報に基づいて応答信号を返信する。なお、ＲＦＩＤシステム２の構成および動作の詳細については後述する。
【００１７】
リーダライタ３は、応答信号を受信してタグ情報を読み取り、管理装置（図示せず）に転送することにより、その職員４が病棟に入室する資格を有しているか否かを判定して警報を発したり、あるいは入退室した時刻を記録したりするなどの入退室の認証やセキュリティ管理をする。また、制服６そのものの管理をする。なお、制服６そのものの盗難・悪用防止や管理のために、外見上分かりにくい状態にカモフラージュされた状態で取り付けられていることが望ましい。
【００１８】
ＲＦＩＤタグ１は、タグ情報を記憶保持するタグＩＣチップと、このタグＩＣチップに電気的に接続され無線信号を送受信するタグアンテナ部とを備えている。
【００１９】
病院などに勤務する職員４の制服６は布などの柔軟な材料で作られており、洗濯やクリーニングが頻繁に行われている。これにより、着脱したり折り畳まれるときに繰り返し折曲され、タグアンテナ部が頻繁に動かされたり折り曲げられたりする。そのため、折曲の繰り返しや折り畳みにより、タグアンテナ部が切損したり、タグＩＣチップとタグアンテナ部の接続部分が接触不良を起こしたりするなど、破損しやすかった。このため、ＲＦＩＤタグ１を制服６には取り付けにくく、取り付け方法にも制限されるため、外見上分からないように取り付けることが難しかった。
【００２０】
そこで、本実施の形態のＲＦＩＤタグ１は、タグ情報を記憶保持するタグＩＣチップを有するタグ本体部と、タグＩＣチップに電気的に接続されたタグアンテナ部とを備え、図１（Ｂ）に示すように、タグアンテナ部は炭素繊維製とし、職員４が着用する制服６に設けられた病院名などの刺繍部７に一体取り付け可能とした。また、図２は、ガードマンの制服６に警備会社名などの刺繍部７を取り付け、そこにＲＦＩＤタグ１を一体取り付けしたものである。これにより、ＲＦＩＤタグ１を制服６に外見上分からないように取り付けやすくすることができる。
【００２１】
次に、図３および図４を参照しながら、本実施の形態におけるＲＦＩＤタグ１の構成について説明する。
【００２２】
図３は本発明の実施の形態１におけるＲＦＩＤタグ１の構成を示すものであり、図３（Ａ）は本発明の実施の形態１におけるＲＦＩＤタグ１の構成を示す平面図、図３（Ｂ）は同ＲＦＩＤタグ１の要部拡大断面図、図４は同ＲＦＩＤタグ１が取り付けられた物品である制服６を示すものであり、図４（Ａ）は本発明の実施の形態１におけるＲＦＩＤタグ付き物品である制服６の要部を示す正面図、図４（Ｂ）は同ＲＦＩＤタグ付き物品である制服６の要部の拡大正面図である。
【００２３】
ＲＦＩＤタグ１は、図３（Ａ）に示すように、タグＩＣチップ８を有したタグ本体部１２と、このタグ本体部１２から両サイドに延びた炭素繊維製のタグアンテナ部９とを備えている。
【００２４】
タグ本体部１２は、図３（Ｂ）に示すように、タグ基板１０上に形成された導電箔１１にタグＩＣチップ８が電気的に接続されている。そして、この導電箔１１にタグアンテナ部９の端部が半田や導電性接着剤などによって電気的に接続されるとともに、導電箔１１を介してタグＩＣチップ８に電気的に接続されている。そして、タグ基板１０、タグＩＣチップ８およびタグアンテナ部９が接続されている接続部分が、絶縁性・防水性のモールド樹脂１３によってモールドされている。
【００２５】
タグアンテナ部９は、導電性の良い炭素繊維の紐を用いて構成されている。炭素繊維の紐は、複数本の細い炭素繊維の糸の集合体、例えば炭素繊維の糸が撚り合わされて撚紐にされたものを用いる。この炭素繊維の紐はきわめて柔軟性に富んで自由に曲げられるので通常の糸と同様に扱うことができ、かつ炭素繊維の特徴として、折り曲げにも引っ張りにもきわめて強いという特徴がある。このため、図４（Ａ）に示すように、タグアンテナ部を制服６に設けられた病院名などの刺繍部７に取り付け可能とし、ＲＦＩＤタグ１を制服６に外見上分からないように取り付けやすくすることができる。
【００２６】
なお、タグＩＣチップ８をタグ基板１０に取り付ける構造として、タグＩＣチップ８の下面に設けた電極（図示省略）を導電性ペーストとアンダーフィル材、あるいは導電性接着剤などの接着部材を用いてタグ基板１０に取り付ける。また、他の構造として、タグＩＣチップ８を接着剤（図示省略）でタグ基板１０に固定し、その電極と導電箔１１とを導線でワイヤボンディングするなどしてもよい。
【００２７】
このような構成のＲＦＩＤタグ１を用いて、図４（Ｂ）に示すように、ＲＦＩＤタグ１を制服６の刺繍部７の外周部に埋め込み、かつ、タグアンテナ部９を刺繍部７に沿わせて縫い込むことにより、ＲＦＩＤタグ１を制服６に取り付ける。これにより、ＲＦＩＤタグ１を制服６の刺繍部７に一体化して取り付けることができる。
【００２８】
その際、ＲＦＩＤタグ１のタグアンテナ部９を刺繍部７の外延に沿わせておいてその上から刺繍部７を形成することによってタグアンテナ部９を刺繍部７と一体化する。他の例として、タグアンテナ部９の炭素繊維そのものを刺繍部７の糸と一緒、または、刺繍部７の糸の一部として、刺繍部７に縫い込んで一体化することもできる。
【００２９】
さらに、ＲＦＩＤタグ１のタグアンテナ部９は、炭素繊維が柔軟性に富むことから刺繍部７の外周部以外にも刺繍部７の文字や模様の部分にも自由に一体取り付け可能にしている。例えば、図４（Ｂ）の図中の「ａｂｃ」などの病院名や製品のロゴ、マークなどに縫い込んで一体化するようにしてもよい。
【００３０】
このように、ＲＦＩＤタグ１を制服６の刺繍部７に一体化して取り付けることができるので、制服６にＲＦＩＤタグ１が取り付けられていることが外見からは分からないようにすることができる。また、一体化したことにより、取り外しにくくすることができる。したがって、このような制服６を使用することにより、職員４が病棟に入室する資格を有しているか否かを認証して警報を発したり、あるいは入退室した時刻を記録するなどのセキュリティ管理をしたりすることが、違和感なくかつ確実に行うことができる。
【００３１】
また、制服６にＲＦＩＤタグ１が取り付けられていることを外見上から分かりにくくすることができることにより、制服６そのものの盗難防止や、盗まれた制服６を悪用した入室の防止などをすることができる。
【００３２】
なお、タグアンテナ部９の炭素繊維は折り曲げや引っ張りなどにきわめて強いので、何度も折り曲げられ、強い力が加えられる洗濯作業時やアイロン掛け時にも破損するおそれがなく、長期間にわたって使用が可能である。
【００３３】
次に、図５を参照しながら、ＲＦＩＤシステム２の構成および動作の詳細について説明する。図５は本発明の実施の形態１におけるＲＦＩＤシステム２の構成を示すブロック図である。ここでは、図１に示すように、ＲＦＩＤシステム２を病院での入退室管理用に用いた場合の例について説明する。
【００３４】
図５に示すように、ＲＦＩＤタグ１を制服６に付けた職員４が病棟の出入り口５の近傍に来ると、リーダライタ３の送信アンテナ３ａからＲＦＩＤタグ１に向けて質問信号を送信し、ＲＦＩＤタグ１ではこの質問信号をタグアンテナ部９で受信し、タグ情報に基づいて応答信号をタグアンテナ部９を介して返信する。リーダライタ３は、この応答信号を受信アンテナ３ｂで受信しタグ情報を読み取り、管理装置（図示省略）に転送し、管理を行う。
【００３５】
まず、リーダライタ３はＲＦＩＤタグ１と交信を開始する。リーダライタ３では、ＲＦＩＤタグ１に、例えば「管理ＩＤを返信せよ」という質問信号を送信するように制御部４１で制御される。
【００３６】
次に、変調部４２により質問信号に応じて所定の搬送波を変調し、送信部４３、送信アンテナ３ａを介して、ＲＦＩＤタグ１に向けて無線信号として送信する。所定の搬送波として、ＵＨＦ帯（例えば、９５２ＭＨｚ〜９５５ＭＨｚ）やマイクロ波帯（例えば、２．４５ＧＨｚ）、ＨＦ帯（例えば、１３．５６ＭＨｚ）の周波数を利用することができる。
【００３７】
ＲＦＩＤタグ１は、タグアンテナ部９で無線信号の質問信号を受信するとともに、受信した無線信号から生成した電力をダイオード３４で整流し、直流電圧（以下、「ＤＣ電圧」と記す）を生成する。このＤＣ電圧をコンデンサ３５に充電するとともに、このＤＣ電圧をタグＩＣチップ８の各部に供給し、タグＩＣチップ８を起動する。これによって、タグＩＣチップ８の制御部３８、復調部３９、変調部３１、メモリ部３２が起動する。これによりＲＦＩＤタグ１では、電池などの電源を搭載しなくてもタグＩＣチップ８を動作させることができる。
【００３８】
次に、制御部３８からの指示で復調部３９は、受信した無線信号から「管理ＩＤを返答せよ」という質問信号を復調する。
【００３９】
また、制御部３８は、復調部３９への指示をするとともにメモリ部３２に記憶保持しているタグ情報から管理ＩＤを読み出す。
【００４０】
メモリ部３２に記憶保持されたタグ情報、すなわち、職員４の管理ＩＤが「管理ＩＤ１」であった場合には、制御部３８は、その質問に対して「管理ＩＤ１」を、変調部３１を介してスイッチ３７をオン、オフさせて応答する。
【００４１】
すなわち、スイッチ３７がオンすれば、タグアンテナ部９の端子ａと端子ｂが短絡され、スイッチ３７がオフされれば、タグアンテナ部９の端子ａと端子ｂが開放される。これによって、リーダライタ３から送信された電波を反射するか否かをタグ情報に応じて制御し、そのタグ情報の内容を伝達することができる。
【００４２】
例えば、タグ情報の「１」に対応させてスイッチ３７をオフ、タグ情報の「０」に対応させてスイッチ３７をオンさせ、このスイッチ３７のオン、オフの繰り返しにより、タグアンテナ部９からリーダライタ３に応答信号を出力し、「管理ＩＤ１」を報告する。
【００４３】
なお、ＲＦＩＤタグ１では、タグアンテナ部９の端子ａと端子ｂを開放させたときに、反射がおきないように、インピーダンスをマッチングさせるコンデンサ３６を有している。
【００４４】
リーダライタ３は、受信アンテナ３ｂで受信した応答信号を受信部４４を介して復調部４５に伝達し、復調した信号により、制御部４１が「管理ＩＤ１」の存在を確認する。リーダライタ３は、この「管理ＩＤ１」の情報を、例えば制御部４１を介してメモリ部４０に記憶する。
【００４５】
そして、メモリ部４０に記憶した「管理ＩＤ１」の情報を、管理装置に転送する。管理装置は、「管理ＩＤ１」の情報に基づいて記憶部に記憶されているデータベース（図示せず）から職員４のＩＤ情報を検索し、その職員４の入室資格の認証、入退室の管理などをする。
【００４６】
また、リーダライタ３は、制御部４１からＲＦＩＤタグ１に「管理ＩＤを応答せよ」と質問が行われたにも拘らず、「管理ＩＤ」を記憶したＲＦＩＤタグ１が存在しない場合には、応答がないので、制御部４１はこの「応答なし」から「管理ＩＤ」は存在しない、あるいは、病棟の出入り口５の近傍に来た者が入室資格を有しないものであると判断する。また、正規の制服６を着用していない場合も、同様に判断することができる。
【００４７】
また、図５において、リーダライタ３は、変調、同期を行うためのクロック部４６と、各部にＤＣ電圧を供給するための電源部４７を備えている。電源部４７は、例えば、ＤＣ電圧を発生させる電池などを有する。
【００４８】
以上のように本実施の形態によれば、ＲＦＩＤタグ１のタグアンテナ部９の炭素繊維は折り曲げや引っ張りなどにきわめて強いので、制服６に外見上分からないように取り付けやすくすることができ、ＲＦＩＤタグ１を職員４用の制服６の刺繍部７に一体化して取り付けることができる。また、一体化したことにより、取り外しにくくすることができる。これにより、ＲＤＩＤシステム２などを用いて、制服６そのものの盗難防止や、盗まれた制服６を悪用した入室の防止などをすることができる。
【００４９】
なお、このＲＦＩＤタグ１は、制服６以外にも一般の衣類、タオル、シーツなど各種の物品の刺繍部に取り付けることができる。そのような、ＲＦＩＤタグ１を刺繍部７に一体化して取り付けた物品は、販売された物品に取り付けて商品管理や在庫管理、ＰＯＳ価格管理、盗難防止、作業着に織り込んで入退室管理、ＩＤ認証などに広く用いることができる。
【００５０】
（実施の形態２）
次に、図６および図７を参照しながら、本発明の実施の形態２について説明する。
【００５１】
図６は本発明の実施の形態２におけるＲＦＩＤタグ付き物品であるハンドバッグ１４に取り付けた例を示す斜視図、図７は本発明の実施の形態２におけるＲＦＩＤタグ付き物品であるハンドバッグ１４の部分拡大図である。
【００５２】
本実施の形態においては、図６および図７に示すように、ハンドバッグ１４のマチの部分の縫い目１５を刺繍部とし、ここにＲＦＩＤタグ１のタグアンテナ部９を沿わせて一体化して取り付けている。
【００５３】
また、図６に示すように、ＲＦＩＤタグ２０のタグＩＣチップ８を有したタグ本体部１２をハンドバッグ１４の釦部１６の部分に埋め込み、タグアンテナ部９を刺繍部としての縫い目１７に沿わせて一体化して取り付けてもよい。
【００５４】
以上のように本実施の形態によれば、刺繍部である縫い目１５、１７にＲＦＩＤタグ１の炭素繊維で形成されるタグアンテナ部９を外見上は分かりにくい状態で一体化して取り付けることができ、デザイン的に悪影響を与えることなく取り付けることができる。また、一体化したことにより、取り外しにくくすることができる。
【００５５】
なお、タグアンテナ部９に用いる炭素繊維として炭素繊維の糸を撚り合わせた紐を用いた場合について説明したが、これ以外にも、炭素繊維を編んだ編線や、１本あるいは複数本の細い炭素繊維が織られた細長いクロス帯を用いてもよい。この場合にも、厚み方向には自由に折曲できるので、平面的なものに対して有効に用いることができる。
【００５６】
また、タグアンテナ部９に幅が狭いクロス帯を用いれば、撚紐の場合と同様な使い方が可能である。また、他の編み方によって複数本の細い炭素繊維を織るようにしてもよい。
【００５７】
（実施の形態３）
次に、図８および図９を参照しながら本発明の実施の形態３について説明する。図８は本発明の実施の形態３におけるＲＦＩＤタグを示す平面図、図９は本発明の実施の形態３におけるＲＦＩＤタグの他の例を示す平面図である。
【００５８】
本実施の形態においては、図８に示すように、ＲＦＩＤタグ３０のタグアンテナ部１８に使用している炭素繊維が柔軟性に富んでいて通常の糸と同様に扱うことができるので、この炭素繊維製のタグアンテナ部１８自体で刺繍部の模様を織っている。これにより、刺繍部を構成するタグアンテナ部１８の幅を広くし、面状に形成することができる。これにより、タグアンテナ部１８の電気的な周波数帯域を広げることができる。また、形状などの設計自由度が増し、電気的なマッチングが取りやすくなるため、アンテナ感度を向上させることができる。また、図９に示すように、刺繍のデザインなどの模様となる刺繍部分の幅に合わせてＲＦＩＤタグ３０ａのタグアンテナ部１８自体を織ることもできる。
【００５９】
なお、炭素繊維製のタグアンテナ部１８、１９に導電性のカラー塗料を塗布すれば、デザイン性も向上し、アクセサリなどとして利用することもできる。
【００６０】
以上のように本実施の形態によれば、刺繍部７全体を幅の広い面状のタグアンテナ部１８、１９として使用することができる。このため、受信・送信性能を向上させることができる。これにより、ＲＦＩＤタグ３０、３０ａとリーダライタ３との位置が離れても安定して交信ができる。さらに、タグアンテナ部１８、１９自体で刺繍部の模様を織ることにより一体化し、取り外しにくくしている。
【００６１】
なお、ＲＦＩＤタグ１を制服６に取り付ける場合について説明したが、これに限定されるものでない。例えばリネンサプライ製品、布製のバッグ、帽子、寝具など柔らかいものに広く取り付けて使用することも可能である。
【産業上の利用可能性】
【００６２】
以上のように本発明は、ＲＦＩＤタグのタグアンテナ部を導電性を有する炭素繊維を用いて構成し、このタグアンテナ部を物品の刺繍部に一体化して取り付けれるようにしたので、柔軟性に富む炭素繊維を物品の刺繍部に縫い込んで一体に取り付けることができる。このように、繰り返し折曲されたり引っ張られたりするような場所にも取り付けることができ、しかも刺繍部に一体化させているため外見上分かりにくい状態で取り付けることができるので、制服などの物品に取り付けて盗難防止、悪用防止などをすることが可能なＲＦＩＤタグ付き物品、ＲＦＩＤタグに有用である。
【図面の簡単な説明】
【００６３】
【図１】（Ａ）は本発明の実施の形態１におけるＲＦＩＤシステムの概要を説明するための概要図、（Ｂ）は同ＲＦＩＤシステムに用いられるＲＦＩＤタグを職員に取り付けた状態の例を示す正面図
【図２】本発明の実施の形態１におけるＲＦＩＤタグ付き物品である制服を示す斜視図
【図３】（Ａ）は本発明の実施の形態１におけるＲＦＩＤタグの構成を示す平面図、（Ｂ）は同ＲＦＩＤタグの要部拡大断面図
【図４】（Ａ）は本発明の実施の形態１におけるＲＦＩＤタグ付き物品である制服の要部を示す正面図、（Ｂ）は同ＲＦＩＤタグ付き物品である制服の要部の拡大正面図
【図５】本発明の実施の形態１におけるＲＦＩＤシステムの構成を示すブロック図
【図６】本発明の実施の形態２におけるＲＦＩＤタグ付き物品であるハンドバッグに取り付けた例を示す斜視図
【図７】本発明の実施の形態２におけるＲＦＩＤタグ付き物品であるハンドバッグの部分拡大図
【図８】本発明の実施の形態３におけるＲＦＩＤタグの平面図
【図９】本発明の実施の形態３におけるＲＦＩＤタグの他の例を示す平面図
【符号の説明】
【００６４】
１，２０，３０，３０ａ    ＲＦＩＤタグ
２    ＲＦＩＤシステム
３    リーダライタ
３ａ    送信アンテナ
３ｂ    受信アンテナ
４    職員
５    出入り口
６    制服（物品）
７    刺繍部
８    タグＩＣチップ
９，１８，１９    タグアンテナ部
１０    タグ基板
１１    導電箔
１２    タグ本体部
１３    モールド樹脂
１４    ハンドバッグ（物品）
１５，１７    縫い目（刺繍部）
１６    釦部
３１，４２    変調部
３２，４０    メモリ部
３４    ダイオード
３５，３６    コンデンサ
３７    スイッチ
３８，４１    制御部
３９，４５    復調部
４３    送信部
４４    受信部
４６    クロック部
４７    電源部
【図１】
2010026886.tif 000003
【図２】
2010026886.tif 000004
【図３】
2010026886.tif 000005
【図４】
2010026886.tif 000006
【図５】
2010026886.tif 000007
【図６】
2010026886.tif 000008
【図７】
2010026886.tif 000009
【図８】
2010026886.tif 000010
【図９】
2010026886.tif 000011